(57)【特許請求の範囲】
【請求項１】
便座又は便蓋が取付けられたブラケットを便器本体に取外し可能状態とロック状態とに切り替える便器用便座、便蓋着脱切替装置において、
前記便器本体と前記ブラケットとのいずれか一方に設けられた軸杆と、前記便器本体と前記ブラケットとの他方に揺動自在に支持された操作部材とを含み、
前記軸杆は、前記便器本体と前記ブラケットとの一方から突出する突出軸部を含み、
前記操作部材は、前記軸杆の突出軸部によって抜け止めされて前記ロック状態となる第１の位置と、この第１の位置からずれることによって前記突出軸部の軸方向からみたときの前記軸杆と前記操作部材との位置関係および前記操作部材と前記ブラケットとの位置関係が変化し、かつ、前記軸杆の突出軸部による抜け止めが解除されて前記取外し可能状態となる第２の位置とを有すること
を特徴とする便器用便座、便蓋着脱切替装置。
【請求項２】
請求項１に記載の便器用便座、便蓋着脱切替装置であって、前記第１の位置で前記軸杆と前記操作部材とは整列した状態にあるが、前記第２の位置で前記軸杆と前記操作部材とは非整列の状態にあることを特徴とする便器用便座、便蓋着脱切替装置。
【請求項３】
請求項１又は２に記載の便器用便座、便蓋着脱切替装置であって、前記突出軸部は、その少なくとも途中に小径部を有し、前記操作部材は、前記突出軸部が貫通する切替え孔を含み、前記切替え孔は、前記第１の位置で前記突出軸部の小径部に係合する小径孔部と前記第２の位置で前記突出軸部がすり抜けるような大きさの大径孔部とから成り、前記小径孔部と大径孔部とは連続していることを特徴とする便器用便座、便蓋着脱切替装置。
【請求項４】
請求項１乃至３のいずれかに記載の便器用便座、便蓋着脱切替装置であって、前記操作部材は、円冠状の形態を有し、前記第２の位置では、前記円冠の中心が前記軸杆の中心から偏心していることを特徴とする便器用便座、便蓋着脱切替装置。
【請求項５】
請求項４に記載の便器用便座、便蓋着脱切替装置であって、前記軸杆は、前記第１の位置で前記円冠状の操作部材に同心状に整列する円形鍔部を有することを特徴とする便器用便座、便蓋着脱切替装置。
【発明の詳細な説明】
【技術分野】
【０００１】
本発明は、便器の便座又は便蓋、即ち便座と便蓋との一方又は双方（以下便座等と称する）を便器本体に対して着脱する際に、便座等を取付けたブラケットを便器本体に対してロック状態と取外し可能状態（ロック解除状態）とに切り替える便器用便座、便蓋着脱切替装置の改良に関するものである。
【背景技術】
【０００２】
この種の便器用便座、便蓋着脱切替装置は、特許文献１で知られており、この特許文献１に記載された着脱切替装置（便器用取付装置）は、便器本体Ｂから垂直方向に延びる取付け軸３１が貫通する装置本体（ブラケット）２と、この装置本体２のガイド部２３に回転自在に支持されたロック部材４とから成っている。装置本体２は、便座Ｃ及び便蓋Ｄを軸支するものである。
【０００３】
ロック部材４は、取付け軸３１が装置本体２から突出する突出部分の小径部分３２に摺動自在に係合する切替え溝（貫通孔）４３を有し、突出部分の大径部分（抜止め部分）３３によって抜け止めされている。切替え溝４３は、抜止め部分３３が貫通することができる大径孔部４３ａと、抜止め部分３３が貫通することができない小径孔部４３ｃと、ロック部材４が小径部分３２に沿って回転することができるようにこれら大小の孔部４３ａと４３ｃとを連結する連結孔部（長孔部）４３ｂとから成っている。
【０００４】
ロック部材４は、ガイド部２３の周方向の切欠き部２３ａを貫通する操作杆４２を有し、この操作杆４２を操作してロック部材４をガイド部２３内で回転することができるようになっている。特許文献１の図４に示すように、ロック部材４の切替え溝４３の小径孔部４３ｃが取付け軸３の小径部分３２に係合していると、取付け軸３の大径部分（抜け止め部分）３３がロック部材４を抜け止めしているが、操作杆４２を操作してロック部材４の連結孔部４３ｂを経て取付け軸３の大径部分（抜け止め部分）３３が切替え溝４３の大径部分４３ａに一致すると、装置本体２を取付け軸３１から抜き出すことができる。
【０００５】
しかし、このような構造であると、ロック状態と取外し可能状態（ロック解除状態）とを容易に切り替えることができるようにするためには、操作杆４２が長く突出していることが必要であるが、これは、装置を大型化し、また操作杆の位置からロック状態か取外し可能状態（ロック解除状態）かを判別するので、いずれの状態にあるのか判別し難い欠点があった。
【０００６】
【特許文献１】特開２００４−１０５４５４号公報
【発明の開示】
【発明が解決しようとする課題】
【０００７】
本発明が解決しようとする課題は、装置を大型化することがなく、また便座又は便蓋のロック状態と取外し可能状態（ロック解除状態）とを確実に判別することができる便器用便座、便蓋着脱切替装置を提供することにある。
【課題を解決するための手段】
【０００８】
本発明の課題解決手段は、
便座又は便蓋が取付けられたブラケットを便器本体に取外し可能状態とロック状態とに切り替える便器用便座、便蓋着脱切替装置において、
前記便器本体と前記ブラケットとのいずれか一方に設けられた軸杆と、前記便器本体と前記ブラケットとの他方に揺動自在に支持された操作部材とを含み、
前記軸杆は、前記便器本体と前記ブラケットとの一方から突出する突出軸部を含み、
前記操作部材は、前記軸杆の突出軸部によって抜け止めされて前記ロック状態となる第１の位置と、この第１の位置からずれることによって前記突出軸部の軸方向からみたときの前記軸杆と前記操作部材との位置関係および前記操作部材と前記ブラケットとの位置関係が変化し、かつ、前記軸杆の突出軸部による抜け止めが解除されて前記取外し可能状態となる第２の位置とを有すること
を特徴とする便器用便座、便蓋着脱切替装置を提供することにある。
【０００９】
本発明の課題解決手段において、第１の位置で前記軸杆と前記操作部材とは整列した状態にあるが、前記第２の位置で前記軸杆と前記操作部材とは非整列の状態にあるのが好ましい。
【００１０】
また、本発明の課題解決手段において、突出軸部分は、その少なくとも途中に小径部を有し、操作部材は、突出軸部分が貫通する切替溝を含み、この切替溝は、第１の位置で突出軸部分の小径部に係合する小径孔部と第２の位置で突出軸部分がすり抜けるような大きさの大径孔部とから成り、小径孔部と大径孔部とは連続している形態とすることができる。
【００１１】
更に、操作部材は、円冠状の形態を有し、第２の位置では、円冠の中心が軸杆の中心から偏心している用にすることができ、特に、この場合、軸杆は、第１の位置で円冠状の操作部材に同心状に整列する円形鍔部を有するのが望ましい。
【発明の効果】
【００１２】
本発明によると、便座等を支持するブラケットや便器本体から突出するものがないので、装置を大型化することがなく、また便座等のロック状態と取外し可能状態（ロック解除状態）とは、操作部材が便器本体又はブラケットからの位置ずれから確認することができるので、いずれの状態にあるかの判別を容易に行うことができる。
【発明を実施するための最良の形態】
【００１３】
本発明の好ましい実施の形態による便座、便蓋着脱切替装置１０を用いた便器１が図１に示され、この便器１は、便器本体２と、便座３と、便蓋４とを含み、便座３と便蓋４とは、本発明の便座、便蓋着脱装置１０によって便器本体２に支持されるヒンジ軸環５、６（便蓋用の軸環６は図示されていない）を回転自在に保持する取付け軸７を有するブラケット８に取付けられる。ブラケット８は、後に述べるように、本発明の便座、便蓋着脱切替装置１０の操作部材の支持軸貫通孔を貫通してブラケット８をこの操作部材に取付ける１対の支持軸８２Ａ、８２Ｂを有する（図４（Ａ）、図５（Ａ）参照）。これらの支持軸８２Ａ、８２Ｂは、操作部材の支持軸貫通孔から抜け出さないように保持される頭部付きのねじ軸の形態を有し、このねじ軸のねじ部８２ｔをブラケット８の下面のねじ孔８４にねじ込んでブラケット８に固定されている（図４（Ｂ”）参照）。
【００１４】
本発明の便座、便蓋着脱切替装置１０は、図３に示すように、便器本体２の便座３及び便蓋４を枢支するように取付ける位置に設けられた左右１対の軸杆２０と、ブラケット８に揺動自在に支持された左右１対の操作部材３０とを含んでいるが、この装置は、左右では全く同じ構造を有するので、以下一方の構造についてのみ説明する。
【００１５】
軸杆２０は、図３、図６及び図７に示すように、便器本体２に埋め込まれて固定された基軸部２２と、この基軸部２２の上端に設けられ便器本体２の上面に支持される円板状鍔部２４と、この円板状鍔部２４の上面から突出する突出軸部２６とから成り、突出軸部２６は、その中間付近に小径部２６ａを有する。
【００１６】
操作部材３０は、軸杆２０の円板状鍔部２４にほぼ同径の円冠状の形態を有し、この操作部材３０は、ブラケット８に取付けて固定されたねじ軸の形態の支持軸８２Ａ、８２Ｂが貫通する支持孔３２Ａ、３２Ｂと軸杆２０の突出軸部２６が貫通する切替え孔３４とを有する。
【００１７】
一方の支持孔３２Ａは、図４、図７、図８に示すように、操作部材３０の揺動中心となるように支持軸８２Ａを支持する円形の形態であり、他方の支持孔３２Ｂは、操作部材３０が支持軸３２Ａを中心に揺動するのを許すように円弧状に形成された長孔の形態である。従って、操作部材３０は、支持軸８２Ａを中心に軸杆２０の円板状鍔部２４上を揺動し、また支持軸８２Ａ、８２Ｂの頭部８２ｈによってブラケット８に一体的に取り付けられている。
【００１８】
切替え孔３４は、冠状の操作部材３０が軸杆２０の突出軸部２６の小径部２６ａに係合して操作部材３０が軸杆２０から抜け出せないようにロックする小径孔部３４Ｓと、この小径孔部３４Ｓに連続して形成されていて操作部材３０が軸杆２０の突出軸部２６から抜け出すことができるような寸法の大径孔部３４Ｌとを有する。
【００１９】
次に、本発明の便座、便蓋着脱切替装置１０の使用状態を述べると、図３に示すように、便座３及び便蓋４の両端ヒンジ軸環５、６にブラケット８の１対の支持軸８２Ａ、８２Ｂを貫通する。ブラケット８には予め１対の支持軸８２Ａ、８２Ｂによって冠状の操作部材３０が取り付けられている。
【００２０】
操作部材３０は、切替え孔３４の大径孔部３４Ｌが軸杆２０の突出軸部２６に一致するように軸杆２０に被せると、この大径孔部３４Ｌに軸杆２０の突出軸部２６が貫通し、この状態は、取外し可能状態（ロック解除状態）である（図４（Ｃ）、（Ｃ’）、図５（Ｃ）（Ｃ’）参照）。本明細書では、操作部材３０がこのような状態にある位置を第２の位置と称する。
【００２１】
この状態から、操作部材３０が軸杆２０の円板状鍔部２４に重合するように一方の支持軸８２Ａを中心に指で揺動すると、切替え孔３４の小径孔部３４Ｓが軸杆２０の突出軸部２６の小径部２６ａに係合するので、操作部材３０は、切替え孔３４の小径孔部３４Ｓと軸杆２０の突出軸部２６の小径部２６ａの上下の肩部に係合して抜け止めされ、操作部材３０は、ブラケット８と共に、軸杆２０を介して便器本体２にロックされる。本明細書では、操作部材３０がこのような状態にある位置を第１の位置と称する。
【００２２】
便座３及び便蓋４を便器本体２から取り外す場合には、上記と逆の操作を行う。即ち、操作部材３０を第１の位置から指で図４（Ｂ’）の反時計方向に揺動して図４（Ｃ）（Ｃ’）に示すように、操作部材３０の切替え孔３４の大径孔部３４Ｌが軸杆２０の突出軸部２６に整列するように揺動する。この位置（第２の位置）では、操作部材３０は、抜け止め状態（ロック状態）から解放されるので、軸杆２０から脱出してブラケット８及びこれに保持された便座３及び便蓋４を便器本体２から取り外すことができる。
【００２３】
なお、図９（Ａ）（Ｆ）に示すように、切替え孔３４の大径孔部３４Ｌから小径孔部３４Ｓに至る連続部分の一部に小径孔部３４Ｓに沿って次第に高くなる傾斜面３４Ｉを有し、この傾斜面３４Ｉは、軸杆２０の突出軸部２６の頭部の下面（小径部２６ａの上面）が操作部材３０を次第に堅く締め付けてロック状態を確実に維持する機能を有する。
【００２４】
本発明の装置は、通常の使用状態にある第１の位置では、軸杆２０と操作部材３０とは、同心状に整列しているので、装置のまわりに張り出すものがなく、全体的にコンパクトで小型化することができる。また、ロック状態と取外し可能状態とは、軸杆２０と操作部材３０とが整列しているか非整列であるかによって確認することができるので、これらの状態の判別が容易で見誤ることがない。
【００２５】
上記実施の形態では、軸杆２０を便器本体２側に設けられ、操作部材３０がブラケット８側に設けられているが、これらは逆にして、軸杆２０をブラケット８側に設け、操作部材３０を便器本体２側に設けてもよい。また、本発明の装置によって着脱切替するものは、図示の形態では、便座３と便蓋４との両方であったが、便蓋のない便器では、便座３のみであり、また便座３と便蓋４を別々に本発明の装置によって着脱してもよい。
【産業上の利用可能性】
【００２６】
本発明によれば、装置が全体的にコンパクトであり、また便座又は便蓋のヒンジ部がロック状態にあるのか取外し可能状態（ロック解除状態）にかるのかの判別が容易であり、高い産業上の利用性を有する。
【図面の簡単な説明】
【００２７】
【図１】本発明の便座、便蓋着脱切替装置を用いた便器の斜視図である。
【図２】図１の便器の上方部分の拡大背面図である。
【図３】図１の便器の分解斜視図である。
【図４】便座、便蓋の一端を回転自在に支持する支持軸に取り付けられた一方のブラケットに関連して本発明の便器用便座、便蓋着脱切替装置を示し、同図（Ａ）は、その分解斜視図、同図（Ｂ）は、ロック状態の斜視図、同図（Ｂ’）は、ブラケットより下方にある操作部材のロック状態の上面図、同図（Ｂ”）は、１対の支持軸と操作部材との中心とに沿って切断した断面図、同図（Ｃ）は、取外し可能状態（ロック解放状態）の斜視図、同図（Ｃ'）は、同図（Ｂ’）と同じであるが、操作部材の取外し可能状態の上面図である。
【図５】図４の装置を背面から示し、同図（Ａ）は、その分解斜視図、同図（Ｂ）は、ロック状態の斜視図、同図（Ｂ’）は、操作部材のロック状態の下面図、同図（Ｃ）は、取外し可能状態（ロック解放状態）の斜視図、同図（Ｃ'）は、同図（Ｂ’）と同じであるが、操作部材の取外し可能状態の下面図である。
【図６】本発明の便器用便座、便蓋着脱切替装置のロック状態を示し、同図（Ａ）は、その正面図、同図（Ｂ）は、同図（Ａ）のＢ−Ｂ線断面図である。
【図７】本発明に用いられる軸杆を拡大して示し、同図（Ａ）は、その斜視図、同図（Ｂ）は、便器本体への取付け状態の正面図である。
【図８】同図（Ａ）乃至（Ｅ）は、それぞれその斜視図、正面図、上面図、側面図及び背面図、同図（Ｆ）は、同図（Ｄ）のＦ−Ｆ線断面図である。
【図９】本発明に用いられる操作部材を示し、同図（Ａ）乃至（Ｅ）は、それぞれその上方斜視図、上面図、下方斜斜視図、下面図、正面図、同図（Ｆ）は、同図（Ｄ）のＦ−Ｆ線断面図である。
【符号の説明】
【００２８】
１    便器
２    便器本体
３    便座
４    便蓋
５、６  ヒンジ軸環
７    取付軸
８    ブラケット
８２Ａ、８２Ｂ  １対の支持軸
８２ｈ  頭部
８２ｔ  ねじ部
８４    ねじ孔
１０    便器用便座、便蓋着脱切替装置
２０    軸杆
２２    基軸部
２４    円形状鍔部
２６    突出軸部
２６ａ  小径部
３０    冠状の操作部材
３２Ａ、３２Ｂ  支持孔
３４    切替え孔
３４Ｓ  小径孔部
３４Ｌ  大径孔部
【図１】
0005191757.tif 000002
【図２】
0005191757.tif 000003
【図３】
0005191757.tif 000004
【図４】
0005191757.tif 000005
【図５】
0005191757.tif 000006
【図６】
0005191757.tif 000007
【図７】
0005191757.tif 000008
【図８】
0005191757.tif 000009
【図９】
0005191757.tif 000010